(57)【要約】      （修正有）【課題】  小型化することのできる光ディスク装置を提供する。【解決手段】光学ヘッド部３１を支持している回動アーム３０は昇降及び回動自在である。支軸３２には回動アーム３０の回動角度を規制する規制手段３４が設けられているので、回動アーム３０を待機位置および記録再生位置に確実に位置決めすることができる。また、回動アーム３０の回動角度を規制する規制手段３４が、回動アーム３０の回動中心である支軸３２に設けられているので、支軸２１および規制手段３４をトレイ２１の近傍に設けることができ、光ディスク装置１０の小型化を図ることができる。【選択図】  図２
2005346790.tif 000002
【特許請求の範囲】
【請求項１】
複数の光ディスクを内部に収納可能な本体と、
前記本体内において前記各光ディスクを個別に載置可能な複数のトレイが階層配置された光ディスク保持部と、
光学ヘッド部を支持するとともに、前記各トレイの階層方向と平行な支軸に沿って上昇可能であり、かつ、前記支軸を中心として回動可能な回動アームとを備え、
前記回動アームの回動角度を規制する規制手段が前記支軸近傍に設けられた光ディスク装置。
【請求項２】
前記各トレイのうちの任意の一対を相対的に離反させることにより特定の光ディスクに対して前記光学ヘッド部が記録再生可能な作業空間を形成する離反手段を備え、前記回動アームは前記作業空間の形成位置に対応して前記支軸に沿って上昇可能である請求項１記載の光ディスク装置。
【請求項３】
前記規制手段は、前記回動アームに設けられた係止部と、前記支軸の周縁部に設けられた当接部材とからなり、前記当接部材が前記支軸に沿うとともに前記回動アームに追従して昇降可能な請求項１または請求項２記載の光ディスク装置。
【請求項４】
前記係止部は、前記回動アームに設けられたネジ穴と、前記ネジ穴に螺合する調整ネジとからなる請求項３記載の光ディスク装置。
【発明の詳細な説明】
【技術分野】
【０００１】
本発明は、複数枚の光ディスクから所望の光ディスクを選択して記録再生する光ディスク装置に関するものである。
【背景技術】
【０００２】
従来の光ディスク装置は、図８に示されている（例えば特許文献１参照）。
図８に示すように、この光ディスク装置１００では、筐体１０１内の中央部に複数枚のトレイ１０２が光ディスク積層方向に移動可能な状態で積層配置されており、トレイ１０２の枚数と同じ枚数の光ディスクが収納可能となっている。
また、各トレイ１０２には光ディスク外周部に係合する所定数の突条１０２ａが形成されており、複数枚のトレイ１０２を積層した場合にトレイ１０２間に突条１０２ａの高さ分の空間が形成されるようになっている。
【０００３】
複数枚のトレイ１０２は、それぞれ放射外方に突出する外突起１０２ｂを介してトレイ移動機構１０３によって昇降され、互いに積層方向である上下方向に接近および離隔するように移動する。そして、このトレイ１０２の移動により、所望のトレイ１０２に載置されている光ディスク１２を駆動および記録再生するための作業空間Ｓが形成されるようになっている。
この作業空間Ｓには、筐体１０１に揺動可能に支持された図示省略の揺動基板とこれに支持された光ヘッドシャーシ１０４とを備えた演奏部ユニット１０５が、光ディスク半径方向に揺動することによって、進入および退出するようになっている。
この演奏部ユニット１０５には、クランプ機構１０６が装着されており、クランプ機構１０６はターンテーブル１０７上の光ディスクＤに係合する回転自在なクランパ１０８を有している。
【０００４】
筐体１０１内には、作業空間Ｓ内で、選択された１つのトレイ１０２上の光ディスクＤを保持し、その光ディスクを作業空間Ｓ内に侵入したターンテーブル１０７に移載する光ディスク保持機構１０９が設けられている。
なお、各トレイ１０２には、一般に、収納している光ディスクＤと干渉しない位置において積層方向に貫通する図示省略のピンが設けられており、トレイ１０２が安定して上下移動ができるようになっている。
また、演奏部ユニット１０５の回動範囲を規制して、記録再生位置または待機位置に位置決めするためのストッパ軸（図示省略）が設けられるのが一般的である。
【０００５】
従って、所望の光ディスクＤを再生する際には、まず、トレイ移動機構１０３により所望の光ディスクＤが載置されたトレイ１０２が選択され、その上方に作業空間Ｓが形成される。選択されたトレイ１０２をピンに沿って作業空間Ｓの上方にある光ディスク保持位置の高さに移動し、光ディスク保持機構１０９により光ディスクＤが保持された後、空になったトレイ１０２は作業空間Ｓの下側に移動される。
そして、演奏部ユニット１０５が待機位置から水平回動して作業空間Ｓに進入して記録再生位置に停止し、光ディスク保持機構１０９が保持している光ディスクＤを演奏部ユニット１０５のターンテーブル１０７上に移載する。ターンテーブル１０７の回転により光ディスクＤを回転させ、図示省略の光ヘッドにより光ディスクＤに対して情報を記録再生する。記録再生が終了したら、上述した手順と逆の手順により、演奏部ユニット１０５を待機位置に回動させるとともに光ディスクＤを所定のトレイ１０２に収納する。
【特許文献１】特開２００１−１６７４９９号公報（図３）
【発明の開示】
【発明が解決しようとする課題】
【０００６】
ところで、例えば自動車に搭載される光ディスク装置においては、限られたスペースに装着しなければならないため、光ディスク装置の小型化が要求されている。このためには、トレイ１０２を貫通して上下移動自在に支持しているピンを、トレイ１０２に収納されている光ディスクＤに干渉しないギリギリの位置に配置する必要がある。
しかしながら、従来の光ディスク装置においては、演奏部ユニット１０５を回動自在に支持している支軸の位置精度、形状精度、寸法精度等の公差と、支軸と平行に立設され演奏部ユニット１０５の回動位置決めを行うストッパ軸の位置精度、形状精度、寸法精度等の公差と、ストッパ軸に当接する個所の形状精度、寸法精度等の公差とが合算されると、個々の公差は許容範囲内であっても光ディスクＤがピンに接触するおそれがあるという問題があった。また、支軸とストッパ軸は互いに近傍に配置する必要があるため、設計の自由度が低く、小型化が困難であった。
【０００７】
本発明は、従来の問題を解決するためになされたもので、回動アームの回動範囲を確実に規制するとともに小型化することのできる光ディスク装置を提供することを目的とする。
【課題を解決するための手段】
【０００８】
本発明の光ディスク装置は、複数の光ディスクを内部に収納可能な本体と、前記本体内において前記各光ディスクを個別に載置可能な複数のトレイが階層配置された光ディスク保持部と、光学ヘッド部を支持するとともに、前記各トレイの階層方向と平行な支軸に沿って上昇可能であり、かつ、前記支軸を中心として回動可能な回動アームとを備え、前記回動アームの回動角度を規制する規制手段が前記支軸近傍に設けられた構成を有している。
【０００９】
この構成により、支軸の近傍には回動アームの回動角度を規制する規制手段が設けられているので、光ディスク定置時に回動アームの待機位置および記録再生位置の位置ずれを補正することができ、確実に位置決めすることができることになる。また、回動アームの回動角度を規制する規制手段が、回動アームの回動中心である支軸近傍に設けられているので、支軸および規制手段をトレイの近傍に設けることができ、光ディスク装置の小型化を図ることができる。
【００１０】
また、本発明にかかる光ディスク装置は、前記各トレイのうちの任意の一対を相対的に離反させることにより特定の光ディスクに対して前記光学ヘッド部が記録再生可能な作業空間を形成する離反手段を備え、前記回動アームは前記作業空間の形成位置に対応して前記支軸に沿って上昇可能である構成を有している。
【００１１】
この構成により、本体内部の光ディスク保持部に階層配置された複数のトレイに収納された複数の光ディスクのうち、所望の光ディスクに対して記録再生する際には、離反手段が隣接する一対のトレイを離反させて所望の光ディスクに対して記録再生するための作業空間を形成すると共に、前記回動アームを前記作業空間の形成位置に対応して前記支軸に沿って上昇させ、回動アームを待機位置および記録再生位置により確実に位置決めすることができ、安定した記録再生動作を行うことができる。
【００１２】
また、本発明にかかる光ディスク装置は、前記規制手段は、前記回動アームに設けられた係止部と、前記支軸の周縁部に設けられた当接部材とからなり、前記当接部材が前記支軸に沿うとともに前記回動アームに追従して昇降可能な構成を有している。
【００１３】
この構成により、回動アームに設けられた係止部と、支軸の周縁部に設けられた当接部材とを当接させるだけの簡単な構成で回動アームの回動角を規制することができる。また、当接部材は、回動アームに追従して支軸に沿って上下移動可能となっているため、回動アームが支軸に沿って上下移動しても、確実に規制部材により回動角度を規制することができる。
【００１４】
また、本発明にかかる光ディスク装置は、前記係止部は、前記回動アームに設けられたネジ穴と、前記ネジ穴に螺合する調整ネジとからなる構成を有している。
【００１５】
この構成により、簡単な構成で回動アームの回動角度を微調整することができる。
【発明の効果】
【００１６】
本発明は、回動アームの回動角度を規制する規制部材を回動アームの回動中心である支軸の近傍に設けたので、支軸とストッパ軸との誤差の累積を回避してトレイの近傍に設けることができるとともに、光ディスク装置の小型化を図ることができる。
【発明を実施するための最良の形態】
【００１７】
以下、本発明の実施の形態の光ディスク装置について、図面を用いて説明する。
図１には、本発明の実施の形態の光ディスク装置１０を内蔵するカーオーディオ装置１の全体斜視図が示されている。このカーオーディオ装置１では、光ディスク装置１０のほかにラジオ２、カセットテープ記録再生装置３等を内蔵しており、前面パネル４には、全機能に共用される表示部４ａや電源／ボリュームつまみ４ｂに加えて、光ディスク装置１０における光ディスク挿脱口１１、ラジオ用のチューニングつまみ２ａ、カセットテープ挿入口３ａ等が設けられている。また、内部には、ラジオ２、カセットテープ記録再生装置３、光ディスク装置１０等を制御する制御部５が設けられている。
【００１８】
図２および図３には、カーオーディオ装置１に内蔵されている本発明の実施形態である光ディスク装置１０の、図１中II−II位置あるいはIII−III位置における断面図が示されている。
図２および図３に示すように、光ディスク装置１０は、複数の光ディスク１２を内部に収納可能な本体１３と、本体１３内において各光ディスク１２を個別に載置可能な複数のトレイ２１が階層配置された光ディスク保持部２０と、各トレイ２１のうちの任意の一対を相対的に離反させることにより特定の光ディスク１２の情報を光学ヘッド部３１が記録再生可能な作業空間Ｓを形成する離反手段５０と、光学ヘッド部３１を支持するとともに、光ディスク保持部２０の近傍に配置されて各トレイ２１の階層方向と平行な支軸３２を中心として回動可能であり、かつ、作業空間Ｓ（図４参照）の形成位置に対応して支軸３２に沿って上昇可能な回動アーム３０とを備えている。また、図５〜図７に示すように、回動アーム３０における待機位置から記録再生位置までの回動角度を規制する規制手段３３が支軸３２に設けられている。
【００１９】
図４に示すように、光ディスク保持部２０では、光ディスク１２を収納するための複数のトレイ２１が階層配置されており、ガイドピン２２に沿って各々上下移動自在に設けられている。トレイ２１の外側にはトレイ２１を取り囲む形状の昇降板１４が設けられており、本体１３内でトレイ２１と干渉することなく上下移動自在に設けられている。昇降板１４の上面のトレイ２１の外周縁の近傍複数箇所には、離反手段５０としてのエレベータカムギヤ５１が設けられている。このエレベータカムギヤ５１では、外周部に、トレイ２１を上下に離反させるための螺旋状のカム溝が形成されている。
従って、昇降板１４を上下移動させるとともに、離反手段５０であるエレベータカムギヤ５１を回転させることにより、所望のトレイ２１を選択して、トレイ２１の下側に所定高さの作業空間Ｓを設けることができるようになっている。
【００２０】
昇降板１４の上面における本体内部の一端側（図２において右端）には、回動アーム３０が支軸３２を中心として回動自在に設けられるとともに、支軸３２に沿って上下移動自在に設けられている。回動アーム３０は平板状のサスシャーシ３５を有しており、サスシャーシ３５の基端側が支軸３２により回転自在に支持されていて、サスシャーシ３５の先端部には光ディスク１２を保持して回転するターンテーブル３７が設けられている。また、サスシャーシ３５には、ターンテーブル３７に保持されて回転する光ディスク１２にアクセスすべく、サスシャーシ３５に沿って往復移動可能に支持されている光学ヘッド部３１であるピックアップ３８と、このピックアップ３８を移動させる駆動モータ３９およびリードスクリュ４１とを備えている。
【００２１】
回動アーム３０の基端部は支軸３２により回動自在に支持されるとともに、回動駆動用ギヤ３０ａが取り付けられている。一方、支軸３２の近傍には、回動駆動用ギヤ３０ａを回動させるために、図示省略の駆動手段と、この駆動手段により回転されて回動駆動用ギヤ３０ａに噛合するアイドルギヤ４２が設けられている。このアイドルギヤ４２は、支軸３２の近傍において支軸３２と平行に立設されているポスト４３に回転自在に支持されるとともに、ポスト４３に沿って上下移動自在に設けられている。従って、回動アーム３０が支軸３２に沿って上下移動すると、アイドルギヤ４２はポスト４３に沿って上下移動するので、常に回動アーム３０を回動させることができることになる。
【００２２】
回動アーム３０は、前述したように所望の光ディスク１２の下方に設けられた作業空間Ｓにおいて支軸３２を中心として回動し、記録再生位置（図３参照）に位置決めされる。このとき、図７に示すように、支軸３２に設けられている規制手段３３における当接部材としてのストッパアーム３４に、回動アーム３０のサスシャーシ３５に設けられている係止部３６が当接して回動を制限する。係止部３６には調整ねじ３６ａが設けられており、係止部３６からの突出量を調整して、回動アーム３０の回動角度の微調整が可能となっている。
なお、ストッパアーム３４は、回動アーム３０の上下移動に伴って支軸３２に沿って上下移動するとともに、支軸３２に対して回転しないようになっている。
【００２３】
以上のように構成された光ディスク装置１０についてその動作を説明する。
操作者のボタン操作などにより、本体１３内部の光ディスク保持部２０に階層配置された複数のトレイ２１に収納されている複数の光ディスク１２から、所望の光ディスク１２が選択された際、離反手段５０によって隣接する一対のトレイ２１を離反させて記録再生するための作業空間Ｓを形成する。
ついで、図２に示すように、待機位置にある回動アーム３０を、支軸３２に沿って作業空間Ｓの高さ位置まで移動させ、支軸３２を中心として回動アーム３０を待機位置から図３に示す記録再生位置まで回動させる。
図７に示すように、回動アーム３０が記録再生位置に達すると、回動アーム３０に設けられている係止部３６が支軸３２に設けられているストッパアーム３４に当接して回動を停止する。これにより回動アーム３０は記録再生位置に位置決めされるので、回動アーム３０のサスシャーシ３５に沿って光学ヘッド部３１を移動しながら、光ディスク１２に対して記録再生する。
【００２４】
このような本発明の実施の形態の光ディスク装置１０によれば、支軸３２に回動アーム３０の回動を規制する規制手段３３を設けたので、光ディスク装置１０の小型化を図ることができる。
また、ストッパアーム３４は回動アーム３０と共に支軸３２に沿って上下移動するので、回動アーム３０が上下移動しても、回動アーム３０の回動範囲を規制して、回動アーム３０の回動角度を制限し、回動アーム３０を記録再生位置に位置決めすることができる。
【００２５】
さらに、回動アーム３０の上下動作のみに追従し、回動アーム３０の回動動作には追従しないようにストッパアーム３４を設けているため、各トレイの高さごとにストッパを設ける必要がないため部品点数の少ない簡単な構成にすることができる。
【００２６】
なお、以上の説明では、回動アーム３０が記録再生位置に向かって回動する際に、ストッパアーム３４に当接することにより回動を規制する係止部３６をサスシャーシ３５に設けた場合について図示して説明したが、これに加えて、回動アーム３０が待機位置方向に回動する際に、ストッパアーム３４に当接して回動を規制する係止部を設けるようにすることもできる。これにより、回動アーム３０の回動角度を制限することができる。
また、前述した実施形態にかかるディスク再生装置１０においては、ラジオ２やカセットテープ再生装置３等を備えたカーオーディオ装置１に内蔵されている場合について説明したが、その他、ディスク再生装置１０が単独の場合についても同様に実施可能である。
【産業上の利用可能性】
【００２７】
以上のように、本発明に係る光ディスク装置は、回動アームの回動を規制する規制部材を回動アームの回動中心である支軸に設けたので、支軸とストッパ軸との誤差の累積を回避してトレイの近傍に設けることができるとともに、規制部材を設けるスペースが必要でないので、光ディスク装置の小型化を図ることができるという効果を有し、複数枚の光ディスクから所望の光ディスクを選択して記録再生する光ディスク装置等として有用である。
【図面の簡単な説明】
【００２８】
【図１】本発明の実施の形態における光ディスク装置を内蔵するカーオーディオ装置の全体斜視図。
【図２】図１中II−II位置から見た平面図であり、回動アームが待機位置にある状態を示す平面図。
【図３】回動アームが記録再生位置にある状態を示す平面図。
【図４】図２中IV方向から見た正面図。
【図５】アーム部材の基端部の拡大図。
【図６】図５中VI方向から見た側面図。
【図７】記録再生位置に位置決めされた回動アームの規制手段の拡大図。
【図８】従来の光ディスク装置の側面図。
【符号の説明】
【００２９】
１０  光ディスク装置
１２  光ディスク
１３  本体
２０  光ディスク保持部
２１  トレイ
３０  回動アーム
３１  光学ヘッド部
３２  支軸
３３  規制手段
３４  ストッパアーム（当接部材）
３６  係止部
３６ａ  調整ネジ
３６ｂ  ネジ穴
５０  離反手段
Ｓ    作業空間
【図１】
2005346790.tif 000003
【図２】
2005346790.tif 000004
【図３】
2005346790.tif 000005
【図４】
2005346790.tif 000006
【図５】
2005346790.tif 000007
【図６】
2005346790.tif 000008
【図７】
2005346790.tif 000009
【図８】
2005346790.tif 000010